(57)【要約】【課題】毛髪に対する櫛歯部の櫛通りがよく、かつ、毛髪を掬いやすい安全・快適なウィッグ用固定ピンを提供すること。【解決手段】反転可能な枠部は、略コ字状の第一の枠構成部と前記略コ字状の第二の枠構成部とが連結されてなり、前記第一の枠構成部の一部を覆うカバー部を備え、前記第二の枠構成部には押さえ込み圧力が均一化された複数の櫛歯部が前記第二の枠構成部と一体形成され、前記櫛歯部は、櫛歯本体部と櫛歯先端部とからなり、前記櫛歯本体部は、全長の略半分の位置から先端に向かって幅寸法が略半分以下に先細りし、前記櫛歯先端部は、略円形平板であり、かつ、前記櫛歯本体部との境界近傍から前記カバー部側に２５度乃至４５度の角度で折り曲げられたウィッグ用固定ピン。【選択図】図１
2020169412.tif 000002
【特許請求の範囲】
【請求項１】
反転可能な枠部は、略コ字状の第一の枠構成部と前記略コ字状の第二の枠構成部とが連結されてなり、
前記第一の枠構成部の一部を覆うカバー部を備え、
前記第二の枠構成部には押さえ込み圧力が均一化された複数の櫛歯部が前記第二の枠構成部と一体形成され、
前記櫛歯部は、櫛歯本体部と櫛歯先端部とからなり、
前記櫛歯本体部は、全長の略半分の位置から先端に向かって幅寸法が略半分以下に先細りし、
前記櫛歯先端部は、略円形平板であり、かつ、前記櫛歯本体部との境界近傍から前記カバー部側に２５度乃至４５度の角度で折り曲げられた
ウィッグ用固定ピン。
【発明の詳細な説明】
【技術分野】
【０００１】
本発明は、ウィッグを毛髪に固定するためのウィッグ用固定ピンの技術に関する。
【背景技術】
【０００２】
ウィッグ（かつら）におけるウィッグベースをウィッグの装着者の頭部に固定するためのウィッグ用固定ピンが知られている。
従来のウィッグ用固定ピンは、反転可能な枠部と、枠部に取りつけられた櫛歯部と、枠部の一部を覆う樹脂製のカバー部とを備え、枠部の両側に設けられた穴部に糸等を通してウィッグの裏面側（装着者の頭部側）に縫着される。そして、ウィッグ用固定ピンの櫛歯部を開く状態にして、毛髪を掬って櫛歯部と枠部との間に挿入した後、枠部を反転させて、毛髪を櫛歯部と枠部との間で所定の圧力で挟み込んで保持することでウィッグを頭部に固定することが可能となる。
【０００３】
関連技術として、反転させることにより、櫛歯が閉じた状態及び櫛歯が開いた状態の切り替えが可能な留め具であって、開いた櫛歯と反転部材との間に毛髪を容易に挿入することができ、かつ、より多くの毛髪を挿入することができるようにするために、弾性板状部材から形成され、変形していない初期状態において、対向する２つの長辺部と対向する２つの短辺部から構成された略四辺形の平面形状を有するとともに、長辺部および短辺部の間または短辺部の中間に短辺部の長手方向に伸びる１つの離間領域を有し、離間領域の両側に連結領域を有する反転部材と、反転部材の変形により重ね合わされた連結領域を連結する連結部と、一方の長辺部に一端が固定された複数の櫛歯とを備え、初期状態における一方の長辺部の長さをＷとし、初期状態から重ね合わされる状態までの連結領域の移動量をＤとすると、０．１５  ≦  Ｄ／Ｗ  ≦  ０．１７の関係を有する留め具を提供する技術が提案されている（特許文献１参照）。
【先行技術文献】
【特許文献】
【０００４】
【特許文献１】特許第６０６３０７８号公報
【発明の概要】
【発明が解決しようとする課題】
【０００５】
しかし、上記の特許文献１に開示されている技術では、より、毛髪に対する櫛歯部の櫛通りがよく、かつ、毛髪を掬いやすくい安全・快適なウィッグ用固定ピンを実現することは困難であった。
【０００６】
本発明は、メーカーならではの豊富な経験に基づき到達できた高い水準にあり、個人のアイデアレベルでは実現できない、製品としての現実性・完成度を誇るものである。
【０００７】
本発明の目的は、毛髪に対する櫛歯部の櫛通りがよく、かつ、毛髪を掬いやすい安全・快適なウィッグ用固定ピンを提供することにある。
【課題を解決するための手段】
【０００８】
本発明のウィッグ用固定ピンは、
反転可能な枠部は、略コ字状の第一の枠構成部と前記略コ字状の第二の枠構成部とが連結されてなり、
前記第一の枠構成部の一部を覆うカバー部を備え、
前記第二の枠構成部には押さえ込み圧力が均一化された複数の櫛歯部が前記第二の枠構成部と一体形成され、
前記櫛歯部は、櫛歯本体部と櫛歯先端部とからなり、
前記櫛歯本体部は、全長の略半分の位置から先端に向かって幅寸法が略半分以下に先細りし、
前記櫛歯先端部は、略円形平板であり、かつ、前記櫛歯本体部との境界近傍から前記カバー部側に２５度乃至４５度の角度で折り曲げられた。
【０００９】
このように、押さえ込み圧力が均一化された複数の櫛歯部により、ウィッグ用固定ピンによる留まり・固定化が一定・安定するという効果をもたらし、また、毛髪がアンバランスに引っ張られ、ウィッグの装着者に違和感を覚えさせることがなく、さらに、毛髪・毛根に対するダメージをなくすことができる。
また、複数の櫛歯部が前記第二の枠構成部と一体形成されるため、櫛歯先端部が櫛歯本体部から剥離・脱落することがなく安全性を担保することができる。
また、櫛歯本体部は、全長の略半分の位置から先端に向かって幅寸法が略半分以下に先細りするため、毛髪に対する櫛通りをよくすることができる。
また、櫛歯先端部は、略円形平板であり、かつ、前記櫛歯本体部との境界近傍から前記カバー部側に２５度乃至４５度の角度で折り曲げられているため、毛髪を掬いやすくなっており、また、櫛歯先端部が地肌に真っ直ぐ当たることによる不都合を回避して安全性・快適性を実現することができる。
【発明の効果】
【００１０】
本発明によれば、毛髪に対する櫛歯部の櫛通りがよく、かつ、毛髪を掬いやすい安全・快適なウィッグ用固定ピンを提供することができる。
【図面の簡単な説明】
【００１１】
【図１】本発明の実施の形態におけるウィッグ用固定ピンの櫛歯部が閉じた状態を示す正面図である。
【図２】本発明の実施の形態におけるウィッグ用固定ピンの櫛歯部が閉じた状態を示す背面図である。
【図３】本発明の実施の形態におけるウィッグ用固定ピンの櫛歯部（１本）の開閉状態の遷移を示す概略側面図である。
【図４】本発明の実施の形態におけるウィッグ用固定ピンの櫛歯部が開いた状態を示す斜視図である。
【発明を実施するための形態】
【００１２】
以下、本発明の実施の形態におけるウィッグ用固定ピンＰを図面を参照しつつ説明する。
但し、ウィッグ用固定ピンＰは、従来のウィッグ用固定ピンと基本的な枠組み・構造は、共通する点が多く、その詳細な説明は省略し、本発明に特徴的な箇所を中心に説明する。
なお、従来のウィッグ用固定ピンは、反転可能な枠部と、枠部に取りつけられた櫛歯部と、枠部の一部を覆う樹脂製のカバー部とを備え、枠部の両側に設けられた穴部に糸等を通してウィッグの裏面側（装着者の頭部側）に縫着され、ウィッグ用固定ピンの櫛歯部を開く状態（図４も参照）にして、毛髪を掬って櫛歯部と枠部との間に挿入した後、枠部を反転させて、毛髪を櫛歯部と枠部との間で所定の圧力で挟み込んで保持することでウィッグを頭部に固定するものである。
【００１３】
図１および図２を参照すると、ウィッグ用固定ピンＰは、枠部１０が、第一の枠構成部１１と第二の枠構成部１２を所定の金具（連結部）を介して、かしめにより接合されて形成されている。寸法は、略横３１．６ｍｍ×縦１３．３ｍｍである。
枠部１０の第一の枠構成部１１の長辺部分の大半は、カバー部３（例えば、透明又は有色の樹脂製等のシリコンチューブである。）により覆われている。
枠部１０の第二の枠構成部１２の長辺部分の一側（第一の枠構成部１１側）には櫛歯部４が形成されている。
【００１４】
櫛歯部４は、ここでは本数は１０本として示しているが、複数であれば本数は任意である。幅寸法１．１ｍｍで、１．１５ｍｍ間隔により並設されている。
櫛歯部４は、櫛歯本体部４１および櫛歯先端部４２からなる。
櫛歯部４の形状は、基本的には１０本とも略同一形状であるが、１０本の両端等の櫛歯本体部４１の基端近傍等に若干の違いがあってもよい。
複数（ここでは１０本）の櫛歯部４の１本ずつの押さえ込み圧力（毛髪を挟み込むための強さ）は均一化（ここでは５０〜６５ｇの範囲内。）されている。これにより、ウィッグ用固定ピン１０による留まり・固定化が一定・安定するという効果を奏する。従来は複数の櫛歯部４の圧力の均一化作業は手間がかかるため実施されておらず、毛髪を挟む櫛歯部４の１本ずつの押さえ込み圧力にバラつきがあり、毛髪がアンバランスに引っ張られ、ウィッグの装着者に違和感を覚えさせるおそれがあったり、毛髪・毛根に対するダメージが少なからずあった。
ウィッグ用固定ピン１０の金型作製時に、櫛歯部４の１本１本にフィラーゲージ（金属板）を挟み、それを引き抜いた時の力（ｇｆ）を測定器で測定し、その測定結果に基づいて、櫛歯部４の屈曲部の曲げ角度（曲げ高さ）を調整することで、櫛歯部４の１本ずつの押さえ込み圧力の均一化を実現した。なお、個体差が有る毛髪ではなく、毛髪に近い厚み寸法０．０７ｍｍのフィラーゲージを用いることで汎用性の高さが確保されている。
【００１５】
櫛歯本体部４１は、全長の略半分の位置から先端に向かって幅寸法１．１ｍｍが略半分以下の寸法に先細りする形状とし、毛髪に対する櫛通りをよくした。なお、従来は櫛歯本体部の全長にわたり同じ太さ（幅寸法）であった。櫛歯本体部４１は、全長の基端寄りに緩やかな屈曲部を有していてもよい。
【００１６】
櫛歯先端部４２は、櫛歯本体部４１と略同じ厚み寸法（０．３ｍｍ）の略円形平板（径は櫛歯本体部４２の幅寸法１．１ｍｍと略同じである。）からなる一体成型による一体型とした。そのため櫛歯先端部４２が櫛歯本体部４１から剥離・脱落することがなく安全性が担保される。
また、櫛歯先端部４２を略円形平板とする際にバリ取りを実施し、加工時に発生する不要な突起を手作業で研磨することであってもよい。
この点、従来は櫛歯先端部として球状の部材を櫛歯本体部に接合していたが、接合工程が必要となり煩雑であり、また球状の部材が櫛歯本体部から剥離・脱落すると鋭利で見た目も悪くなり、取り扱いにも不便となっていた。
【００１７】
また、図３に示すように、櫛歯先端部４２は、櫛歯本体部４１との境界近傍から内側（すなわちカバー部３側）に所定の角度（２５度〜４５度）で折り曲げられた形状をなす。これにより櫛歯部４が毛髪を掬いやすくなっており、また、櫛歯先端部４２が地肌に真っ直ぐ当たることによる不都合が回避されている。櫛歯先端部４２は従来の球状ではなく、また従来と同様に櫛歯部４が閉じた状態（図１および図２参照）で櫛歯先端部４２がカバー部３から飛び出しているため、特に利点となる。
【００１８】
上記の本実施の形態によれば、毛髪に対する櫛歯部の櫛通りがよく、かつ、毛髪を掬いやすい安全・快適なウィッグ用固定ピンＰを実現することができる。
【００１９】
その他、一々例示はしないが、本発明は、その趣旨を逸脱しない範囲内において、各構成部分の大きさや形状、角度等を含む種々の変更が加えられて実施されてよい。
【符号の説明】
【００２０】
Ｐ      ウィッグ用固定ピン
１０    枠部
１１    第一の枠構成部
１２    第二の枠構成部
３      カバー部
４      櫛歯部
４１    櫛歯本体部
４２    櫛歯先端部
【図１】
2020169412.tif 000003
【図２】
2020169412.tif 000004
【図３】
2020169412.tif 000005
【図４】
2020169412.tif 000006
【手続補正書】
【提出日】令和1年6月7日(2019.6.7)
【手続補正１】
【補正対象書類名】明細書
【補正対象項目名】０００８
【補正方法】変更
【補正の内容】
【０００８】
本発明のウィッグ用固定ピンは、
反転可能な枠部は、略コ字状の第一の枠構成部と前記略コ字状の第二の枠構成部とが連結されてなり、
前記第一の枠構成部の一部を覆うカバー部を備え、
前記第二の枠構成部には押さえ込み圧力が均一化された複数の櫛歯部が前記第二の枠構成部と一体形成され、
前記複数の櫛歯部は、それぞれの前記櫛歯部に挟んだ所定の被測定物を引き抜いた時の力の測定結果に基づいて、前記櫛歯部の曲げ角度が調整されていることで前記押さえ込み圧力が均一化され、
前記櫛歯部は、櫛歯本体部と櫛歯先端部とからなり、
前記櫛歯本体部は、全長の略半分の位置から先端に向かって幅寸法が略半分以下に先細りし、
前記櫛歯先端部は、略円形平板であり、かつ、前記櫛歯本体部との境界近傍から前記カバー部側に２５度乃至４５度の角度で折り曲げられた。
【手続補正２】
【補正対象書類名】特許請求の範囲
【補正対象項目名】全文
【補正方法】変更
【補正の内容】
【特許請求の範囲】
【請求項１】
反転可能な枠部は、略コ字状の第一の枠構成部と前記略コ字状の第二の枠構成部とが連結されてなり、
前記第一の枠構成部の一部を覆うカバー部を備え、
前記第二の枠構成部には押さえ込み圧力が均一化された複数の櫛歯部が前記第二の枠構成部と一体形成され、
前記複数の櫛歯部は、それぞれの前記櫛歯部に挟んだ所定の被測定物を引き抜いた時の力の測定結果に基づいて、前記櫛歯部の曲げ角度が調整されていることで前記押さえ込み圧力が均一化され、
前記櫛歯部は、櫛歯本体部と櫛歯先端部とからなり、
前記櫛歯本体部は、全長の略半分の位置から先端に向かって幅寸法が略半分以下に先細りし、
前記櫛歯先端部は、略円形平板であり、かつ、前記櫛歯本体部との境界近傍から前記カバー部側に２５度乃至４５度の角度で折り曲げられた
ウィッグ用固定ピン。